【事件の表示】
　平成１１年特許願第９４０１３号「魚釣用リール」拒絶査定不服審判事件〔平成１２年１０月１０日出願公開、特開２０００−２７９０６９〕について、次のとおり審決する。
【結　論】
　本件審判の請求は、成り立たない。
【理　由】
第１．手続の経緯
　本願は、平成１１年３月３１日の出願であって、平成１６年７月１６日付けで拒絶査定がなされ、これに対し、同年８月２６日に拒絶査定に対する審判請求がなされるとともに、同年９月２４日付けで手続補正がなされたものである。
　　
　　
第２．平成１６年９月２４日付けの手続補正についての補正の却下の決定
［補正の却下の決定の結論］
　平成１６年９月２４日付けの手続補正（以下、「本件補正」という。）を却下する。
　　
［理由］
【１】補正後の本願発明
　本件補正により、特許請求の範囲の請求項１は、次のとおりに補正された。
「ハンドルの回転操作によって回転駆動される駆動歯車に噛合するピニオン内に挿通されるスプール軸を前後動させるオシレーティング機構と、ピニオンを逆転防止状態と正逆回転可能状態に選択的に切り換えることが可能な逆転防止装置とをリール本体内に具備していると共に、リール本体に回転自在に支持されたロータと、このロータに取り付けられた一対のベール支持部材と、このベール支持部材に支持されたベールとを備えた魚釣用リールであって、前記逆転防止装置は、
前記リール本体に一体成形された筒体の内側に、複数の転がり部材を保持する保持器の外周に設けられて該転がり部材の楔領域とフリー領域を形成する外輪を回り止め嵌合してなる一方向クラッチと、該一方向クラッチの保持器に設けた作動部材に連結される切換操作ロッドの切換制御部の連結部と、を前記筒体の収容凹部に収容し、該切換操作ロッドの延出端に設けた切換操作レバーを回転操作することにより、前記保持器を所定方向に回転してピニオンを逆転防止状態と正逆転可能状態に切換可能とし、かつ、前記筒体の
　　
　上記補正は、本件補正前の請求項１に係る発明（平成１５年１２月２４日付けで補正された特許請求の範囲の請求項１の記載を参照。）の逆転防止装置において、「保持器」及び「外輪」を付加し、「切換ロッドの切換制御部の連結部を、リール本体に一体成形された筒体の内側（収容凹部）に収容する」旨の構成を付加するものであって、特許法第１７条の２第４項第２号に掲げる特許請求の範囲の減縮を目的とする。
　そこで、本件補正後の上記請求項１に係る発明（以下、「補正発明」という。）が特許出願の際独立して特許を受けることができるものであるか否かについて、以下に検討する。
　　
　　
【２】刊行物及びその記載内容
　刊行物１：特開平８−１１２０４９号公報
　刊行物２：特開平１１−１８６３８号公報
　　
〔１〕原査定の拒絶の理由に引用され本願出願前に頒布された刊行物１には、「スピニングリールの逆転防止装置」について、図面（特に、【図９】）とともに、以下のことが記載されている。
　「【０００１】
【産業上の利用分野】本発明は、逆転防止装置、特に、ロータがリール本体に回転自在に装着されたスピニングリールに設けられ、ロータの糸繰り出し方向への逆転を防止するためのスピニングリールの逆転防止装置に関する。」、
　「【００１９】
【実施例】
〔全体構成及びリール本体の構成〕図１〜図３に示す本発明の一実施例によるスピニングリールは、ハンドル１を備えたリール本体２と、リール本体２の前部に回転自在に支持されたロータ３と、ロータ３の前部に配置され釣り糸を巻き取るスプール４とを備えている。
【００２０】リール本体２はボディ２ａを有しており、その上部にはスピニングリールを釣り竿に取りつけるための取付け部２ｂが形成されている。ボディ２ａの内部には、ロータ３を回転させるためのロータ駆動機構５と、スプール４を回転軸芯Ｘに沿って前後方向に移動させてスプール４に釣り糸を均一に巻き取るためのレベルワインド機構６とが設けられている。
【００２１】ロータ駆動機構５は、ハンドル１が固定された軸１０とともに回転するフェースギア１１と、このフェースギア１１に噛み合うピニオンギア１２とを有している。ピニオンギア１２は筒状に形成されており、その前部１２ａはロータ３の中心部を貫通してスプール４側に延びている。そして、その先端にはねじ部が形成されている。ピニオンギア１２は、その軸方向の中間部と後端部とが、それぞれ軸受１３，１４を介してリール本体２に回転自在に支持されている。
【００２２】レベルワインド機構６は、スプール４の中心部に固定されたスプール軸２０を前後方向に移動させてスプール４を同方向に移動させるための機構である。…」、
　「【００２５】〔ロータの構成〕ロータ３は、円筒部３０と、円筒部３０の側方に互いに対向して設けられた第１アーム部３１及び第２アーム部３２とを有している。円筒部３０と両アーム部３１，３２とは一体成形されている。円筒部３０の前部には前壁３３が形成されており、前壁３３の中央部にはボス３３ａが形成されている。ボス３３ａの中心部には貫通孔が形成されており、この貫通孔をピニオンギア１２の前部１２ａ及びスプール軸２０が貫通している。前壁３３の前方側にはナット３４が配置されており、このナット３４がピニオンギア１２の先端ねじ部に螺合している。ナット３４の内周部には、スプール軸２０を回転自在に支持する軸受３５が配置されている。
【００２６】第１アーム部３１の先端の内周側には、第１ベール支持部材４０が揺動自在に取り付けられている。第１ベール支持部材４０の先端には、釣り糸をスプール４に案内するためのラインローラ４１が装着されている。また、第２アーム部３２の先端の外周側には、第２ベール支持部材４２が揺動自在に装着されている。…第１ベール支持部材４０先端のラインローラ４１と第２ベール支持部材４２との間には、ベール４３が設けられている。…」、
　「【００２９】〔逆転防止機構の構成〕ロータ３の円筒部３０の内部には、スプール４（ロータ３の誤記：当審注）の逆転防止機構５０が配置されている。逆転防止機構５０は、図８〜図１１に示すように、リール本体２に固定された枠体５１と、枠体５１内に収納されたローラ型のワンウェイクラッチ５２と、ワンウェイクラッチ５２を作動状態及び非作動状態に切り換える操作機構５３とを有している。
【００３０】ワンウェイクラッチ５２は、枠体５１に相対回転不能に装着された外輪５５と、ピニオンギア１２の前方筒部外周に固定された内輪５６と、複数のローラ５７とを有している。外輪５５は、外周部に複数の突出部５５ａを有しており、これらの突出部５５ａは枠体５１側に設けられた凹部に係合している。ここで、突出部５５ａの先端と枠体５１の凹部との間には径方向の隙間が比較的広く確保され、一方、回転方向へは隙間が狭くなっている。このため、外輪５５は、内輪５６及びローラ５７によって自動調芯されるようになっている。また、外輪５５の内周面にはカム面が形成されている。…
【００３１】枠体５１内部には切換板５８が収納されている。切換板５８は、ほぼ円板状の本体部５８ａと、本体部５８ａから軸方向前方に突出する複数の突出部５８ｂとを有している。複数の突出部５８ｂは、円周方向に等角度間隔で形成されており、隣接する突出部５８ｂの間に複数のローラ５７が配置されている。このような状態では、複数のローラ５７は、外輪５５と内輪５６との間に配置され、切換板５８により円周方向に移動させられて両輪の間にくい込む作動位置と両輪の間で遊転する非作動位置とをとり得る。また複数のローラ５７は、切換板５８に対して軸方向前方から組み付け可能である。なお、ローラ５７が作動位置にあるクラッチオン状態では、外輪５５と内輪５６とは一方向にのみ相対回転が不能であり、ローラ５７が非作動位置にあるクラッチオフ状態では、外輪５５と内輪５６とは相対回転自在である。…
【００３３】…操作機構５３は、枠体５１内部において切換板５８の後方に配置された切換規制板６１と、枠体５１のさらに後方に配置された操作ロッド６２と、操作ロッド６２の後端に連結された操作レバー６３（図１参照）とを有している。切換規制板６１はほぼ円板状の部材であり、３つの係合用の孔６１ａと、操作用係合孔６１ｂとを有している。３つの係合用孔６１ａには、切換板５８の裏面に形成された凸部（図示せず）が係合し、操作用係合孔６１ｂには操作ロッド６２の凸部６２ａが係合している。ここで、操作ロッド６２は、外輪５５の外径よりも小さい範囲内に配置されており、リール全体の小型化を実現している。
【００３４】外輪５５及びローラ５７の前方には、これらの軸方向の移動を規制するために、蓋部材６５が設けられている。蓋部材６５は、図８に示すように、ビスにより枠体５１とともにリール本体に固定されている。そして、蓋部材５６と内部には、シール部材６６が配置されている。シール部材６６は、外輪５５と枠体５１との間を覆うように取り付けられており、両者の間への海水等の侵入を防止している。」、
　「【００４１】〔逆転防止機構の操作及び動作〕キャスティング時等においては、ロータ３が逆転しないように、操作レバー６３によりローラ５７を作動位置に移動させる。すなわち、操作レバー６３を一方に回動することにより、操作ロッド６２を同方向に回動させる。この力は、操作ロッド６２の突出部６２ａを介して切換規制板６１に直接伝達され、さらに切換板５８を介してローラ５７に伝達される。これにより、ローラ５７が、作動位置に移動可能な状態となる。このような状態でロータ３が正方向（釣り糸巻取り方向）に回転すると、ローラ５７は外輪５５と内輪５６との間で遊転する。このため、ロータ３の正方向の回転が妨げられることはない。このとき、前述のように、ローラ５７は内輪５６の外周面と非接触であるので、内輪５６の回転抵抗、即ちロータ３の回転抵抗が少なくなる。…一方、ロータ３が逆方向（釣り糸繰り出し方向）に回転すると、ローラ５７は外輪５５と内輪５６との間にくい込み、両者は相対回転不能な状態となる。ここで、外輪５５は、枠体５１を介してリール本体２に固定されているので、内輪５６の回転、すなわちロータ３の一方向（釣り糸が繰り出される方向）への回転が禁止される。
【００４２】操作レバー６３を前記とは逆方向に回動すると、前記と同様の動作によってローラ５７が非作動位置に移動させられる。この状態では、ローラ５７は、外輪５５と内輪５６との間にくい込むことはできない。したがって、外輪５５に対して内輪５６が正逆両方向に回転可能となり、ロータ３の釣り糸繰り出し方向への回転が可能となる。…」。
　上記段落【００３３】の「…枠体５１内部において切換板５８の後方に配置された切換規制板６１…操作用係合孔６１ｂには操作ロッド６２の凸部６２ａが係合している。…操作ロッド６２は、外輪５５の外径よりも小さい範囲内に配置されており」との記載及び【図６】の記載によれば、刊行物１には、切換板５８に係合する切換規制板６１の操作用係合孔６１ｂに係合した操作ロッド６２の凸部６２ａが、
リール本体２の前方に固定された枠体５１の内部に
　　
　したがって、刊行物１には、
　「ハンドル１の回転操作によって回転駆動されるフェースギア１１に噛み合うピニオンギア１２内に挿通されるスプール軸２０を前後方向に移動させるレベルワインド機構６を、リール本体２内に具備し、ピニオンギア１２を逆転防止状態と正逆回転可能状態に選択的に切り換えることが可能な逆転防止機構５０をリール本体２
前方に固定された枠体５１内
前記リール本体２の前方に固定された枠体５１の内部に
　　
〔２〕刊行物２には、「魚釣用リール」について、図面（特に、【図６】）とともに、以下のことが記載されている。
　「【０００１】
【発明の属する技術分野】本発明は、一方向クラッチを組み込んで回転駆動軸の逆転防止機能を持たせた魚釣用リールに係り、特にリール本体に対する一方向クラッチの取付け構造に着目した魚釣用リールに関する。」、
　「【０００８】
【発明の実施の形態】以下、図示の実施形態によって本発明の実施形態を説明する。図１乃至図６は本発明の第１実施形態に係る魚釣用スピニングリールを示すものである。図１及び図２で示す如く、魚釣用スピニングリールのリール本体１は上方に延びたロッド取付け脚１ａを備えてなり、リール本体１の下部中央には前側に位置して円筒状の支持部１ｂが形成されている。この支持部１ｂ内には転がり軸受からなる軸受３と、転がり式一方向クラッチ４が同軸的に軸方向に並んで嵌め込まれている。図３で示すように、軸受３の外輪３ａと転がり式一方向クラッチ４の外輪４ａとはそれらの外周面部３ｂ，４ｂを支持部１ｂの内周面に接合させることにより支持部１ｂに嵌合固定されている。軸受３の外輪３ａと内輪３ｃの間には転がりボール３ｄが嵌め込まれている。…また、後述する如く、軸受３における外輪３ａの後端は支持部１ｂの後端に形成した度当り部１ｃに当たりこれにより軸受３の後方への抜け止めがなされている。また、軸受３と一方向クラッチ４の前方への抜け止めは後で述べる回り止め部材５によってなされる。
【０００９】支持部１ｂにはその軸受３と一方向クラッチ４を介在して駆動筒軸（回転駆動軸）６が回転自在に支持されている。この駆動筒軸６の基端部付近における前側部分には一体的に歯部６ａと度当り部６ｂが形成され、度当り部６ｂには軸受３の内輪３ｃの端面が度当り当接されている。駆動筒軸６の前端部外周には軸受３の内輪３ｃの前側に一方向クラッチ４の内輪４ｃが、例えばスプライン嵌合により軸方向移動可能に回り止め被嵌され、一体的に連結されている。さらに駆動筒軸６の、一方向クラッチ４よりも前端側外周にはロータ７の中心筒部７ａが回り止め嵌合されており、中心筒部７ａは駆動筒軸６の最前端部に螺合されたナット８で取付け固定されている。そして、駆動筒軸６の度当り部６ｂとナット８の間で、軸受３の内輪３ｃと、一方向クラッチ４の内輪４ｃと、ロータ７の中心筒部７ａのボス部分とを軸方向に挟み込み、それらを挟着支持するようにしている。」、
　「【００１２】前記ロータ７には一対のベール支持腕７ｂ，７ｃが設けられており、一方のベール支持腕７ｂの先端部にはベール支持部材１７が設けられ、他方のベール支持腕７ｃにはもう１つのベール支持部材１８が設けられている。ベール支持部材１７，１８にはベール１９が架設されている。そして、ベール支持部材１７，１８はベール１９と一体的に回動し、ベール１９を釣糸巻取位置と釣糸放出位置のいずれかに反転自在に軸承されている。一方のベール支持部材１７には釣糸案内用ローラ２１を回転自在に保持するローラ取付け部２２が支持されている。」、
　「【００１９】また、一方向クラッチ４の外輪４ａの前端における開口部内には回り止め部材５のリング部５ａが嵌め込まれている。回り止め部材５は図５（ｂ）で示すように、そのリング部５ａから、支持部１ｂの前端面に達する長さの複数の取付け片５ｂを外方に向けて突き出し形成したものである。ここでの回り止め部材５は対称的に配置した２つの取付け片５ｂを備える。各取付け片５ｂの先端部には取付け孔５ｃが形成されている。回り止め部材５は例えば金属製板部材を打ち抜いて板状に作られている。
【００２０】一方向クラッチ４の外輪４ａの開口端縁にはその回り止め部材５の取付け片５ｂにそれぞれ対応してその取付け片５ｂを嵌め込み係合する複数の係止溝４ｇが形成されている。係止溝４ｇは取付け片５ｂの幅に合わせて形成され、取付け片５ｂを密に嵌め込み係合させるようになっている。ここでの係止溝４ｇは回り止め部材５の取付け片５ｂを係着する係合部を構成している。
【００２１】一方向クラッチ４の外輪４ａの外周縁部の軸方向外方よりその前端開口部内に回り止め部材５のリング部５ａを嵌め込むと共に、取付け片５ｂを係止溝４ｇに嵌め込み、取付け片５ｂの先端部を支持部１ｂの前端面に接合する。そして、取付け孔５ｃに固定ねじ２９を通し、この固定ねじ２９を支持部１ｂの部分にねじ込み、固定ねじ２９の頭部で取付け片５ｂを押さえて支持部１ｂに回り止め部材５を取着固定することにより一方向クラッチ４の抜け止めと、外輪４ａの回り止めの両方を確実に行うようになっている。支持部１ｂの前端部分には図６で示す如く、取付け片５ｂの先端部を当接する２つの受部３０が形成されている。受部３０は取付け片５ｂの先端部を密に嵌め込む係合用溝でもよいが、ここでは回り止め部材５が逆転防止時に一方向クラッチ４の外輪４ａから受ける回転力の向き側に位置して回り止め用突起３０ａを突設し、取付け片５ｂの先端部を受け止めるようになっている。
【００２２】そして、支持部１ｂに取着固定された回り止め部材５により一方向クラッチ４の外輪４ａの回り止めが確実になされる。また、第１の嵌合孔３１からの一方向クラッチ４の外輪４ａの抜け止めがなされ、支持部１ｂの第１の嵌合孔３１内に嵌め込まれる一方向クラッチ４の外輪４ａの嵌合力が小さくても外れることがない。」。
　　
　　
【３】対比
　そこで、補正発明と刊行物１記載の発明とを対比すると、刊行物１記載の発明の「フェースギア１１」が補正発明の「駆動歯車」に相当し、以下同様に、「ピニオンギア１２」が「ピニオン」に、「レベルワインド機構６」が「オシレーティング機構」に、「逆転防止機構５０」が「逆転防止装置」に、「枠体５１」が「筒体」に、「第１アーム部３１及び第２アーム部３２」が「一対のベール支持部材」に、「スピニングリール」が「魚釣用リール」に、「切換板５８」が「保持器」に、「ローラ５７」が「転がり部材」に、「ワンウェイクラッチ５２」が「一方向クラッチ」に、「切換規制板６１」が「作動部材」に、「操作ロッド６２」が「切換操作ロッド」に、「操作用係合孔６１ｂに係合した操作ロッド６２の凸部６２ａ」が「切換操作ロッドの切換制御部の連結部」に、「操作レバー６３」が「切換操作レバー」に、「蓋部材６５」が「収容プレート」にそれぞれ相当し、
　また、刊行物１記載の発明の枠体５１の内側が補正発明の「収容凹部」に相当することは明らかであるから、両者は、
　「ハンドルの回転操作によって回転駆動される駆動歯車に噛合するピニオン内に挿通されるスプール軸を前後動させるオシレーティング機構を、リール本体内に具備し、ピニオンを逆転防止状態と正逆回転可能状態に選択的に切り換えることが可能な逆転防止装置を具備していると共に、リール本体に回転自在に支持されたロータと、このロータに取り付けられた一対のベール支持部材と、このベール支持部材に支持されたベールとを備えた魚釣用リールであって、前記逆転防止装置は、筒体の内側に、複数の転がり部材を保持する保持器の外周に設けられて該転がり部材の楔領域とフリー領域を形成する外輪を回り止め嵌合してなる一方向クラッチと、該一方向クラッチの保持器に設けた作動部材に連結される切換操作ロッドの切換制御部の連結部と、を前記筒体の収容凹部に収容し、該切換操作ロッドの延出端に設けた切換操作レバーを回転操作することにより、前記保持器を所定方向に回転してピニオンを逆転防止状態と正逆転可能状態に切換可能とし、かつ、前記筒体の収容凹部の前部に収容プレートを取り付けた魚釣用リール。」である点で一致し、次の点で相違する。
＜相違点＞
　補正発明は、前記筒体を「リール本体に一体成形」したものであり、その結果、逆転防止装置（一方向クラッチ及び切換制御部の連結部等）をリール本体内に具備しているのに対し、刊行物１記載の発明は、筒体をリール本体前方に固定したものであり、その結果、逆転防止装置の一部（一方向クラッチ及び切換制御部の連結部）をリール本体内に具備していない点。
　　
　　
【４】判断
　上記相違点について検討するために刊行物２をみると、刊行物２記載の「歯部６ａを備えた駆動筒軸６」が補正発明の「ピニオン」に相当し、以下同様に、「往復動装置部１５」が「オシレーティング機構」に、「
円筒状の支持部１ｂ
リール本体に一体成形された筒体
リール本体に一体成形された筒体
　そうすると、刊行物１記載の発明の筒体において、逆転防止装置の一部である切換制御部の連結部（操作用係合孔６１ｂに係合した操作ロッド６２の凸部６２ａ）を該筒体に収容しながらも、刊行物２記載の発明のように筒体を
リール本体に一体成形
　そして、上記相違点の補正発明に係る構成による作用効果（リール構成品に対する異物の付着及び進入を防止すること）は、当業者であれば当然予期しうる範囲内のものである。
　よって、補正発明は、刊行物１，２記載の発明に基いて当業者が容易に発明をすることができたものであるから、特許法第２９条第２項の規定により特許出願の際独立して特許を受けることができないものである。
　　
　　
【５】むすび
　以上のとおり、本件補正は、特許法第１７条の２第５項の規定において準用する同法第１２６条第５項の規定に違反するものであり、特許法第１５９条第１項の規定において読み替えて準用する特許法第５３条第１項の規定により却下されるべきものである。
　　
　　
第３．本願発明について
　平成１６年９月２４日付けの手続補正は上記のとおり却下され、平成１６年５月３１日付けの手続補正も既に却下されているので、本願の請求項１に係る発明（以下、「本願発明」という。）は、平成１５年１２月２４日付け手続補正書の特許請求の範囲の請求項１に記載された事項により特定される、以下のとおりのものである（なお、請求項２の記載は省略した。）。
　「【請求項１】ハンドルの回転操作に
よって回転駆動される駆動歯車に噛合するピニオン内に挿通される
　前記逆転防止装置は、回転操作される作動部材により、前記ピニオンを逆転防止状態とする楔作用と正逆転可能状態とするフリー回転とに切換られる転がり部材を有する一方向クラッチと、この一方向クラッチの作動部材に連結されてこの作動部材を回転操作する切換操作レバーを有する切換制御部とを備え、前記リール本体に一体的に形成された筒体の収容凹部に、前記一方向クラッチを収容支持し、かつ、この収容凹部の前部に収容プレートを取付けたことを特徴とする魚釣用リール。
　　
　　
【１】刊行物及びその記載内容
　原査定の拒絶の理由に引用され本願出願前に頒布された刊行物１，２及びその記載内容は、上記「第２．【２】」に記載したとおりである。
　　
　　
【２】対比・判断
　本願発明は、上記「第２．」で検討した補正発明の逆転防止装置において、「保持器」及び「外輪」を省略し、「切換ロッドの切換制御部の連結部を、リール本体に一体成形された筒体の内側（収容凹部）に収容する」旨の構成を省略するものである。
　そうすると、本願発明の構成要件を全て含み、さらに他の構成要件を付加したものに相当する補正発明が、前記「第２．【４】」に記載したとおり、刊行物１，２記載の発明に基いて当業者が容易に発明をすることができたものであるから、上記のように構成を省略した本願発明も、同様の理由により、刊行物１，２記載の発明に基いて当業者が容易に発明をすることができたものである。
　　
　　
【３】むすび
　以上のとおり、本願発明は、刊行物１，２記載の発明に基いて当業者が容易に発明をすることができたものであり、特許法第２９条第２項の規定により特許を受けることができないから、本願の他の請求項に係る発明について検討するまでもなく、本願は拒絶すべきものである。
　よって、結論のとおり審決する。